(57)【要約】【課題】高圧洗浄水が吹きかけられた場合であっても、コネクタから引き出された配線部材、あるいは、配線部材の引き出し口を防水可能に封止する防水シール部材が高圧洗浄水によって損傷されることを防ぎ、かつ、相手コネクタとの嵌合が不用意に解除されることを防ぐことができるコネクタカバー、および、コネクタとコネクタカバーとの組み付け構造を提供すること。【解決手段】回動操作によって相手コネクタとの嵌合および嵌合解除を補助するレバー３０が設けられたコネクタ１０の配線部材Ｗが引き出される部分を覆うようにコネクタ１０に装着されるカバーであり、レバー３０を嵌合操作完了位置でロックするロック部２３の操作側に形成された開口Ｏを開閉可能な開口閉塞カバー７０を有する。【選択図】図１
2019040755.tif 000002
【特許請求の範囲】
【請求項１】
回動操作によって相手コネクタとの嵌合および嵌合解除を補助するレバーが設けられたコネクタの配線部材が引き出される部分を覆うように前記コネクタに装着されるカバーであり、前記レバーを嵌合操作完了位置でロックするロック部の操作側に形成された開口を開閉可能な開口閉塞カバーを有する
ことを特徴とするコネクタカバー。
【請求項２】
回動操作によって相手コネクタとの嵌合および嵌合解除を補助するレバーが設けられ、該レバーが嵌合操作完了位置で該レバーをロックするロック部の周辺を覆うコネクタと、
前記コネクタの配線部材が引き出される部分を覆うように前記コネクタに装着されるカバーであり、前記ロック部の操作側に形成された開口を開閉可能な開口閉塞カバーを有するコネクタカバーと、
を有する
ことを特徴とするコネクタとコネクタカバーとの組み付け構造。
【請求項３】
前記ロック部は、
前記コネクタの前記配線部材を引き出す側の端部に自由端を向けた弾性アーム部を有し、該弾性アーム部が固定端を支点として弾性的に変形および復元されることによって前記レバーのロックおよびロック解除がなされ、
前記コネクタは、
前記弾性アーム部の過大な変位を防止するように前記自由端を両側部側から上面側にかけて囲うように橋状に立設されたアーム過大変位防止壁部を有し、
前記コネクタカバーは、
前記コネクタに装着完了状態で、前記アーム過大変位防止壁部を両側端面側から挟み込むように配置されることによって当該コネクタカバーの前記コネクタへの取付け位置のズレを防止する一対のズレ防止リブを有し、
前記開口閉塞カバーは、
前記一対のズレ防止リブを該一対のズレ防止リブが互いに向かい合う方向で挟み込むように前記一対のズレ防止リブに固定される
ことを特徴とする請求項２に記載のコネクタとコネクタカバーとの組み付け構造。
【請求項４】
前記アーム過大変位防止壁部は、
嵌合操作完了位置で前記ロック部によってロックされた前記レバーと、前記開口閉塞カバーとの間で前記レバーと前記開口閉塞カバーのそれぞれに当接されるように配置されている
ことを特徴とする請求項３に記載のコネクタとコネクタカバーとの組み付け構造。
【発明の詳細な説明】
【技術分野】
【０００１】
本発明は、コネクタに装着されるコネクタカバー、および、コネクタとコネクタカバーとの組み付け構造に関する。
【背景技術】
【０００２】
従来、コネクタから引き出される電線等の配線部材を保護する場合、コネクタから配線部材が引き出される部分を覆うコネクタカバーがコネクタに装着される（例えば、特許文献１および特許文献２参照）。
【先行技術文献】
【特許文献】
【０００３】
【特許文献１】特開２０１７−１０７５４号公報
【特許文献２】特開２０１３−４５５０９号公報
【発明の概要】
【発明が解決しようとする課題】
【０００４】
しかしながら、特許文献１に記載されたコネクタカバーは、相手コネクタとの嵌合を解除するための開口が形成されており、この開口を通して高圧洗浄水が、コネクタから引き出された電線等の配線部材、あるいは、配線部材の引き出し口を防水可能に封止する防水シール部材に直接当たって配線部材、あるいは、防水シール部材を損傷するおそれがあるとともに、開口を通して解除操作部が不用意に操作されることによって、嵌合が不用意に解除されてしまうおそれがあった。
【０００５】
また、特許文献２に記載されたレバー式コネクタは、正規嵌合状態にてレバーの回動をロックするロック機構部のロック解除を行うための指入れスぺ―スを通して高圧洗浄水がコネクタから引き出された電線等の配線部材、あるいは、配線部材の引き出し口を防水可能に封止する防水シール部材に直接当たって配線部材、あるいは、防水シール部材を損傷するおそれがあるとともに、指入れスぺ―スを通してロック機構部が不用意に操作されることによって嵌合が不用意に解除されてしまうおそれがあった。
【０００６】
本発明は、上記に鑑みてなされたものであって、高圧洗浄水が吹きかけられた場合であっても、コネクタから引き出された配線部材、あるいは、配線部材の引き出し口を防水可能に封止する防水シール部材が高圧洗浄水によって損傷されることを防ぎ、かつ、相手コネクタとの嵌合が不用意に解除されることを防ぐことができるコネクタカバー、および、コネクタとコネクタカバーとの組み付け構造を提供することを目的とする。
【課題を解決するための手段】
【０００７】
上述した課題を解決し、目的を達成するために、本発明の請求項１に係るコネクタカバーは、回動操作によって相手コネクタとの嵌合および嵌合解除を補助するレバーが設けられたコネクタの配線部材が引き出される部分を覆うように前記コネクタに装着されるカバーであり、前記レバーを嵌合操作完了位置でロックするロック部の操作側に形成された開口を開閉可能な開口閉塞カバーを有することを特徴とする。
【０００８】
また、上述した課題を解決し、目的を達成するために、本発明の請求項２に係るコネクタとコネクタカバーとの組み付け構造は、回動操作によって相手コネクタとの嵌合および嵌合解除を補助するレバーが設けられ、該レバーが嵌合操作完了位置で該レバーをロックするロック部の周辺を覆うコネクタと、前記コネクタの配線部材が引き出される部分を覆うように前記コネクタに装着されるカバーであり、前記ロック部の操作側に形成された開口を開閉可能な開口閉塞カバーを有するコネクタカバーと、を有することを特徴とする。
【０００９】
また、本発明の請求項３に係るコネクタとコネクタカバーとの組み付け構造は、上記の発明において、前記ロック部が、前記コネクタの前記配線部材を引き出す側の端部に自由端を向けた弾性アーム部を有し、該弾性アーム部が固定端を支点として弾性的に変形および復元されることによって前記レバーのロックおよびロック解除がなされ、前記コネクタが、前記弾性アーム部の過大な変位を防止するように前記自由端を両側部側から上面側にかけて囲うように橋状に立設されたアーム過大変位防止壁部を有し、前記コネクタカバーが、前記コネクタに装着完了状態で、前記アーム過大変位防止壁部を両側端面側から挟み込むように配置されることによって当該コネクタカバーの前記コネクタへの取付け位置のズレを防止する一対のズレ防止リブを有し、前記開口閉塞カバーが、前記一対のズレ防止リブを該一対のズレ防止リブが互いに向かい合う方向で挟み込むように前記一対のズレ防止リブに固定されることを特徴とする。
【００１０】
また、本発明の請求項４に係るコネクタとコネクタカバーとの組み付け構造は、上記の発明において、前記アーム過大変位防止壁部が、嵌合操作完了位置で前記ロック部によってロックされた前記レバーと、前記開口閉塞カバーとの間で前記レバーと前記開口閉塞カバーのそれぞれに当接されるように配置されていることを特徴とする。
【発明の効果】
【００１１】
本発明に係るコネクタカバーは、回動操作によって相手コネクタとの嵌合および嵌合解除を補助するレバーが設けられたコネクタの配線部材が引き出される部分を覆うように前記コネクタに装着されるカバーであり、前記レバーを嵌合操作完了位置でロックするロック部の操作側に形成された開口を開閉可能な前記開口閉塞カバーを有するので、前記コネクタに高圧洗浄水が吹きかけられた場合であっても、前記開口を通して高圧洗浄水が前記コネクタカバー内の前記コネクタから引き出された前記配線部材、あるいは、前記配線部材の引き出し口を防水可能に封止するシール部材に吹きかけられることを防ぐことができ、結果的に、前記コネクタに高圧洗浄水が吹きかけられた場合であっても、コネクタから引き出された配線部材、あるいは、配線部材の引き出し口を防水可能に封止する防水シール部材が高圧洗浄水によって損傷されることを防ぎ、かつ、相手コネクタとの嵌合が不用意に解除されることを防ぐことができる。
【００１２】
本発明に係るコネクタとコネクタカバーとの組み付け構造は、回動操作によって相手コネクタとの嵌合および嵌合解除を補助するレバーが設けられ、該レバーが嵌合操作完了位置で該レバーをロックするロック部の周辺を覆うコネクタと、前記コネクタの配線部材が引き出される部分を覆うように前記コネクタに装着されるカバーであり、前記ロック部の操作側に形成された開口を開閉可能な開口閉塞カバーを有するコネクタカバーと、を有するので、前記コネクタに高圧洗浄水が吹きかけられた場合であっても、前記開口を通して高圧洗浄水が前記コネクタカバー内の前記コネクタから引き出された前記配線部材、あるいは、前記配線部材の引き出し口を防水可能に封止するシール部材に吹きかけられることを防ぐことができ、しかも、前記コネクタカバーと合わせて前記ロック部の周辺を広い範囲で覆うことができるので、結果的に、前記コネクタに高圧洗浄水が吹きかけられた場合であっても、コネクタから引き出された配線部材、あるいは、配線部材の引き出し口を防水可能に封止する防水シール部材が高圧洗浄水によって損傷されることを防ぎ、かつ、相手コネクタとの嵌合が不用意に解除されることを防ぐことができる。
【図面の簡単な説明】
【００１３】
【図１】図１は、本発明の実施例１に係るコネクタとコネクタカバーとの組み付け構造の分解斜視図である。
【図２】図２は、本発明の実施例１に係るコネクタカバーの展開図を２方向から視た図である。
【図３】図３は、コネクタカバーが装着されたコネクタを２方向から視た図である。
【図４】図４は、コネクタカバーが装着されたコネクタと相手コネクタとが嵌合された状態を示した図である。
【図５】図５は、（ａ）が、コネクタカバーが装着されたコネクタを配線部材が引き出される側から視た図であり、（ｂ）が（ａ）に示したコネクタカバーが装着されたコネクタのＡ−Ａ線断面図である。
【図６】図６は、開口閉塞カバーを閉じる様子、および、レバー操作によってコネクタと相手コネクタとを嵌合する様子を示した図であり、左右に並ぶ図は同一の状態を異なる方向から視た図である。
【図７】図７は、本発明の実施例２に係るコネクタカバーが装着され、開口閉塞カバーが開いた状態になっているコネクタを２方向から視た図である。
【図８】図８は、本発明の実施例２に係るコネクタカバーの展開図である。
【図９】図９は、（ａ）が、開口閉塞カバーを上側カバーに取り付ける前の状態を示し、（ｂ）が、開口閉塞カバーを上側カバーに取り付けた後の状態を示した図である。
【図１０】図１０は、開口閉塞カバーを閉じる様子、および、レバー操作によってコネクタと相手コネクタとを嵌合する様子を示した図であり、左右に並ぶ図は同一の状態を異なる方向から視た図である。
【図１１】図１１は、本発明の実施例３に係るコネクタカバーが装着され、開口閉塞カバーが開いた状態になっているコネクタの斜視図である。
【図１２】図１２は、（ａ）が、本発明の実施例３に係るコネクタカバーの展開図であり、（ｂ）が、（ａ）に示したコネクタカバーの上側カバーと下側カバーとを結合した状態を示した図である。
【図１３】図１３は、（ａ）が、コネクタカバーを装着した状態のコネクタの上面図であり、（ｂ）が、（ａ）に示したコネクタのＡ−Ａ線断面図の開口閉塞カバーが開位置にある状態を示した図であり、（ｃ）が、（ａ）に示したコネクタのＡ−Ａ線断面図の開口閉塞カバーが閉位置にある状態を示した図である。
【図１４】図１４は、開口閉塞カバーを閉じる様子、および、レバー操作によってコネクタと相手コネクタとを嵌合する様子を示した図であり、左右に並ぶ図は同一の状態を異なる方向から視た図である。
【発明を実施するための形態】
【００１４】
以下、図面を参照して、本発明に係るコネクタカバー、および、コネクタとコネクタカバーとの組み付け構造の好適な実施例を詳細に説明する。
【実施例】
【００１５】
図１は、本発明の実施例１に係るコネクタとコネクタカバーとの組み付け構造１の分解斜視図である。図２は、本発明の実施例１に係るコネクタカバー４０の展開図を２方向から視た図である。図３は、コネクタカバー４０が装着されたコネクタ１０を２方向から視た図である。図４は、コネクタカバー４０が装着されたコネクタ１０と相手コネクタ１００とが嵌合された状態を示した図である。図５は、（ａ）が、コネクタカバー４０が装着されたコネクタ１０を配線部材Ｗが引き出される側から視た図であり、（ｂ）が（ａ）に示したコネクタカバー４０が装着されたコネクタ１０のＡ−Ａ線断面図である。
なお、図５は、コネクタハウジング内に収容される端子および端子に接続される電線を図示していない。
本発明の実施例１に係るコネクタとコネクタカバーとの組み付け構造１は、例えば、車両に搭載されるものである。
【００１６】
このコネクタとコネクタカバーとの組み付け構造１は、コネクタ１０と、コネクタカバー４０と、コルゲートチューブＣと、を有する。
【００１７】
まず、コネクタ１０について説明する。
コネクタ１０は、コネクタハウジング２０と、レバー３０と、電線Ｗの端末部に接続された不図示の端子と、を有する。
【００１８】
コネクタハウジング２０は、絶縁性の樹脂材からなるブロック状をなし、内部に複数の端子を収容する複数の端子収容室２１が区画して設けられている。
このコネクタハウジング２０は、相手コネクタ１００との嵌合方向前方側の端部が相手コネクタ１００が嵌入される嵌入口２０ａが形成された筒状をなし、嵌入口２０ａの内方に各端子収容室２１が相手コネクタ１００の相手端子１１１が挿入される相手端子挿入口２１ａを嵌入口２０ａに向けて設けられている。
【００１９】
また、コネクタハウジング２０は、相手コネクタ１００との嵌合方向後方側の端部から配線部材としての電線Ｗが引き出されるようになっている。
より具体的には、コネクタハウジング２０は、相手コネクタ１００との嵌合方向後方側の端部に形成された各端子収容室２１への端子の端子挿入口２１ｂ（図５（ａ）参照）から端子に接続する電線Ｗが引き出されるようになっている。
【００２０】
なお、この実施例１では、電線Ｗの端末部に配線部材としての不図示のゴム栓等の防水シール部材が取り付けられており、この防水シール部材が、電線Ｗが引き出された状態の各端子挿入口２１ｂを防水可能に封止するようになっている。
【００２１】
また、コネクタハウジング２０は、レバー３０の回動を支持するためコネクタハウジング２０の両側面に突設された一対の回動軸２２、２２と、レバー３０を嵌合操作完了位置でロックするロック部２３と、ロック部２３の構成要素である後述する弾性アーム部２３ａの過大な変位を防止するアーム過大変位防止壁部２４と、コネクタカバー４０を係止する複数のハウジング側係止部２５と、を有する。
【００２２】
ロック部２３は、コネクタハウジング２０の上面にアーム状に設けられた弾性アーム部２３ａと、弾性アーム部２３ａの上面に突設されたロック突起２３ｂと、を有する。
【００２３】
弾性アーム部２３ａは、コネクタハウジング２０の上面に接続された固定端からコネクタ１０の配線部材Ｗを引き出す側の端部に自由端２３ａａを向けてアーム状に延在して設けられている。
この弾性アーム部２３ａの自由端２３ａａ側には、幅方向に突出された一対の突き当て用突起部２３ｃ、２３ｃが設けられている（図１参照）。
【００２４】
一対の突き当て用突起部２３ｃ、２３ｃは、弾性アーム部２３ａの自由端２３ａａが過大に上方に向けて変位された場合に、アーム過大変位防止壁部２４の後述する一対のストッパ部２４ｂ、２４ｂに突き当てられることによって、弾性アーム部２３ａの過大な変位を防止するものである。
【００２５】
ロック突起２３ｂは、嵌合操作完了位置に回動操作されたレバー３０の後述するロック片３３ａ（図４参照）が引っ掛かるように断面鉤状をなしている。
【００２６】
アーム過大変位防止壁部２４は、弾性アーム部２３ａの過大な変位を防止するように弾性アーム部２３ａの自由端２３ａａを両側部側から上面側にかけて囲うようにコネクタハウジング２０の上面に橋状に立設された壁である。
このアーム過大変位防止壁部２４は、壁の本体部分を構成する橋状の壁本体部２４ａと、壁本体部２４ａの両脚の面に沿って設けられた一対のストッパ部２４ｂ、２４ｂと、を有する。
【００２７】
壁本体部２４ａは、配線部材Ｗの引き出し側に対して反対側を向いた面２４ａａが嵌合操作完了位置に回動操作されたレバー３０に当接される面になっている。
【００２８】
一対のストッパ部２４ｂ、２４ｂは、弾性アーム部２３ａの自由端２３ａａが過大に上方に向けて変位された場合に、一対の突き当て用突起部２３ｃ、２３ｃが上方位置でそれぞれ突き当てられることによって弾性アーム部２３ａの過大な変位を防止するものである。
【００２９】
複数のハウジング側係止部２５は、それぞれコネクタハウジング２０の後端部の上面あるいは側面さらには底面に突設され、コネクタカバー４０に設けられた後述する複数のカバー側係止部５９、６５と係合するようになっている。
【００３０】
また、コネクタハウジング２０は、嵌入口２０ａから内方に切り込まれた一対の切り欠き部２０ｂ、２０ｂが形成されている。
一対の切欠き部２０ｂ、２０ｂは、相手コネクタ１００との嵌合前の待機位置にあるレバー３０の後述する一対のカム溝３２ｂ、３２ｂの入口と整合する位置に配置されている。
【００３１】
レバー３０は、コネクタハウジング２０の両側面に設けられた一対の回動軸２２、２２に回動可能に支えられる部分となるレバー本体部３１と、作業者が操作する部分となるレバー操作部３３と、を有する。
【００３２】
レバー本体部３１は、コネクタハウジング２０を両側面側から挟み込むようにコネクタハウジング２０に装着される部分であり、一対の回動軸２２、２２を支点としてコネクタハウジング２０の両側面に摺接されながら回動される部分となる一対のレバー本体壁部３２、３２を有する。
【００３３】
各レバー本体壁部３２は、各回動軸２２が挿通される回動軸孔３２ａと、相手コネクタ１００の両側面に突設された一対のカム部１１０、１１０の各カム部１１０が嵌め込まれるカム溝３２ｂと、を有する。
【００３４】
レバー操作部３３は、一対のレバー本体壁部３２、３２の端部に一対のレバー本体壁部３２、３２を橋渡すように設けられている。
このレバー操作部３３は、嵌合操作完了位置に回動操作された状態で、ロック部２３のロック突起２３ｂに引っ掛かることによってレバー３０を嵌合操作完了位置にロックするロック片３３ａが設けられている。
【００３５】
このようなレバー３０は、相手コネクタ１００との嵌合前の待機状態ではレバー操作部３３がコネクタハウジング２０の嵌合口２０ａ周辺に配置されており、レバー操作部３３を操作することによって、回動軸２２、２２を中心とした嵌合操作完了位置まで回動操作を行うと、レバー３０をロックするロック部２３の周辺を覆うようになっている。
【００３６】
次に、コネクタカバー４０について説明する。
コネクタカバー４０は、絶縁性の樹脂材からなり、ヒンジ部４０ａを介して互いに連結された上側カバー５０および下側カバー６０と、上側カバー５０にヒンジ部４０ｂを介して連結された開口閉塞カバー７０と、を有する。
【００３７】
上側カバー５０および下側カバー６０は、コネクタハウジング２０の電線引き出し側の端部、および、コルゲートチューブＣの端部を間に挟み込みつつ互いの開口面を重ね合わせることによって連結固定されるようになっている。
【００３８】
上側カバー５０は、コネクタハウジング２０の後端部に連結される部分となる連結部５１と、コルゲートチューブＣの端部を収容するチューブ収容部５５と、一対のズレ防止リブ５８、５８と、を有する。
【００３９】
連結部５１は、コネクタハウジング２０の電線引き出し側の端面に当接させた状態でコネクタハウジング２０の後方に連結される連結本体部５２と、連結本体部５２から前方に向けて片状に突出された一対の第一連結片５３、５３と、一対のズレ防止リブ５８、５８の各ズレ防止リブ５８から前方に向けて片状に突出された一対の第二連結片５４、５４と、を有する。
【００４０】
連結本体部５２は、コネクタハウジング２０の側壁の後方に配置される一対の側部カバー壁５２ａ、５２ａと一対の側部カバー壁５２ａ、５２ａの上端部を橋渡すように設けられた天井カバー壁５２ｂと、を有する。
【００４１】
一対の第一連結片５３、５３は、一対の側部カバー壁５２ａ、５２ａの各側部カバー壁５２ａの前端縁面に突設されている。
【００４２】
各第一連結片５３は、第一連結片５３の外面が第一連結片５３周辺のコネクタハウジング２０の外面と面一になるようにコネクタハウジング２０の側壁外面に凹状に形成された嵌め込み凹部２０ｃ（図１参照）に嵌め込まれるようになっている。
【００４３】
各嵌め込み凹部２０ｃには、コネクタカバー４０をコネクタハウジング２０に装着する方向に沿って延びる２つの突条がハウジング側係止部２５として設けられている。
各第一連結片５３には、２つの突条に係止するカバー側係止部５９としての２つの溝が形成されている（図２参照）。
【００４４】
一対の第二連結片５４、５４は、一対のズレ防止リブ５８、５８の前端縁面に突設されている。
【００４５】
各第二連結片５４は、嵌め込み凹部２０ｃの底面を形成する壁の上端縁面に下端面を当接させるように配置される部分である。
なお、嵌め込み凹部２０ｃの底面を形成する壁の上端縁面には、ハウジング側係止部２５としての突起が設けられている。
各第二連結片５４の下端面には、ハウジング側係止部２５としての突起に係止するカバー側係止部５９としての凹部が形成されている。
【００４６】
チューブ収容部５５は、図２に示すように、コルゲートチューブＣの端部が収容される部分となる収容本体部５６と、下側カバー６０のチューブ収容部６２との結合状態をロックするための一対の結合ロック部５７、５７と、を有する。
【００４７】
収容本体部５６は、コルゲートチューブＣも外周面形状に対応した断面円弧状の内面に、コルゲートチューブＣの表面長手方向に交互に繰り返し並設された凹部および凸部の凹部に嵌め込まれる突条５６ａが複数並んで設けられている。
【００４８】
一対の結合ロック部５７は、収容本体部５６の周方向の両端面に突設された弾性アーム部５７ａと、弾性アーム部５７ａの先端に設けられた結合ロック突起５７ｂと、を有する。
【００４９】
一対のズレ防止リブ５８、５８は、互いに向かい合うように連結本体部５２の天井カバー壁５２ｂに立設され、コネクタカバー４０がコネクタ１０に装着された状態で、アーム過大変位防止壁部２４を両側端面側から挟み込むように配置されることによってコネクタ１０へのコネクタカバー４０の取付け位置のズレの発生を防止するものである。
下側カバー６０は、コネクタハウジング２０の後端部に連結される部分となる連結部６１と、コルゲートチューブＣの端部を収容するチューブ収容部６２と、を有する。
【００５０】
連結部６１は、コネクタハウジング２０の電線引き出し側の端面に当接させた状態でコネクタハウジング２０の後方に連結されるようになっている。
【００５１】
この連結部６１は、コネクタハウジング２０の下部に形成された突条に係止するカバー側係止部６５としての凹部が形成されている。
【００５２】
チューブ収容部６２は、図２に示すように、コルゲートチューブＣの端部が収容される部分となる収容本体部６３と、上側カバー５０のチューブ収容部５５に設けられた一対の結合ロック突起５７ｂ、５７ｂと係合される一対の結合ロック突起６４、６４と、を有する。
【００５３】
収容本体部６３は、コルゲートチューブＣの外周面形状に対応した断面円弧状の内面に、コルゲートチューブＣの表面長手方向に交互に繰り返し並設された凹部および凸部の凹部に嵌め込まれる突条６３ａが複数並んで設けられている。
【００５４】
上側カバー５０と下側カバー６０とは互いの連結部５１、６１の間に設けられたヒンジ部４０ａによって連結され、このヒンジ部４０ａを変形させて互いの連結部５１、６１およびチューブ収容部５５、６２の開口面同士を重ね合わせるように可動させ、互いの一対の結合ロック突起５７ｂ、５７ｂと一対の結合ロック突起６４、６４同士が係合されることによって結合状態で固定されるようになっている。
【００５５】
開口閉塞カバー７０は、レバー３０を嵌合操作完了位置でロックするロック部２３の操作側に形成された開口Ｏを開閉可能にヒンジ部４０ｂを介して上側カバー５０に連結されている。
【００５６】
この開口閉塞カバー７０は、天井壁７１と、天井壁７１の両端部に互いに向かい合うように立設された一対の側壁７２、７２と、天井壁７１の後端部に設けられた後端壁７３と、固定先となる一対のズレ防止リブ５８、５８にロックする部分となる２つの閉塞カバー側ロック突起７４、７５（図２参照）と、を有する。
【００５７】
なお、ヒンジ部４０ｂは、開口閉塞カバー７０の側壁７２とズレ防止リブ５８との間を連結するように設けられている。
【００５８】
２つの閉塞カバー側ロック突起７４、７５のうち、一方の閉塞カバー側ロック突起７４は、ヒンジ部４０ｂに連結した側壁７２の内壁面側に設けられ、ヒンジ部４０ｂに連結されたズレ防止リブ５８の後端部に突設されたリブ側ロック突起５８ａと係合するようになっている。
【００５９】
２つの閉塞カバー側ロック突起７４、７５のうち、他方の閉塞カバー側ロック突起７５は、ヒンジ部４０ｂに連結した側壁７２に向かい合う側壁７２から前方に向けて片状に突出された突片部７６の内面に設けられている。
【００６０】
開口閉塞カバー７０は、２つの閉塞カバー側ロック突起７４、７５が一対のズレ防止リブ５８、５８の２つのリブ側ロック突起５８ａ、５８ｂに係合されることによって、一対の側壁７２、７２の一部が一対のズレ防止リブ５８、５８の側面に後端面側から重ねられ、後端壁７３が一対のズレ防止リブ５８、５８の後端面に当接され、かつ、天井壁７１が一対のズレ防止リブ５８、５８の上端面に後端面側から重ねられた状態で一対のズレ防止リブ５８、５８に固定される。
【００６１】
このように開口閉塞カバー７０がコネクタハウジング２０に装着されたコネクタカバー４０の上側カバー５０に固定されることによって、レバー３０を嵌合操作完了位置でロックするロック部２３の操作側に形成された開口Ｏが塞がれる。
【００６２】
また、開口閉塞カバー７０は、図５（ｂ）に示すように、一対のズレ防止リブ５８、５８を一対のズレ防止リブ５８、５８が互いに向かい合う方向で挟み込むように一対のズレ防止リブ５８、５８に固定される。
このため、開口閉塞カバー７０は、一対のズレ防止リブ５８、５８が互いの間隔を拡げるように変形されることを阻止するようになっている。
【００６３】
このような、コネクタとコネクタカバーとの組み付け構造１は、アーム過大変位防止壁部２４が、嵌合操作完了位置でロック部２３によってロックされたレバー３０と、一対のズレ防止リブ５８、５８に固定された開口閉塞カバー７０との間でレバー３０と開口閉塞カバー７０のそれぞれに当接されるように配置されている。
このため、レバー３０と、開口閉塞カバー７０と、アーム過大変位防止壁部２４とによって、レバー３０をロックするロック部２３の操作側に形成された開口Ｏおよびロック部２３の周辺を覆うことができる。
すなわち、コネクタとコネクタカバーとの組み付け構造１は、レバー３０と、開口閉塞カバー７０と、アーム過大変位防止壁部２４との３つの構成要素によって、ロック部２３の操作側に形成された開口Ｏおよびロック部２３の周辺をより広い範囲で覆うことができるようになっている。
【００６４】
次に、図６を用いて、コネクタカバー４０をコネクタ１０に組み付けた後に、コネクタ１０と相手コネクタ１００と嵌合する手順を説明する。
図６は、開口閉塞カバー４０を閉じる様子、および、レバー操作によってコネクタ１０と相手コネクタ１００とを嵌合する様子を示した図であり、左右に並ぶ図は同一の状態を異なる方向から視た図である。
【００６５】
まず、作業者は、コネクタハウジング２０の後端部に上側から上側カバー５０を組み付ける。
ここで、作業者が、コネクタハウジング２０の後端部に設けられた複数のハウジング側係止部２５と上側カバー５０に設けられた複数のカバー側係止部５９とを係合するようにして上側カバー５０をコネクタハウジング２０に組み付けると、一対のズレ防止リブ５８、５８がアーム過大変位防止壁部２４を両側端面側から挟み込むように配置される。
【００６６】
その後、作業者は、上側カバー５０内に配線部材Ｗを収容しつつチューブ収容部５５に配線部材Ｗを収容したコルゲートチューブＣの端部を収容する。
【００６７】
その後、作業者は、ヒンジ部４０ａによって上側カバー５０に連結されている下側カバー６０をヒンジ部４０ａを中心に回転させながら、コネクタハウジング２０の後端部に下側から組み付け、上側カバー５０に結合固定する。
ここで、作業者は、コネクタハウジング２０の後端部に設けられた複数のハウジング側係止部２５と下側カバー６０に設けられた複数のカバー側係止部６５とを係合するようにして下側カバー６０をコネクタハウジング２０に組み付ける。
また、作業者は、上側カバー５０および下側カバー６０のそれぞれに設けられた一対の結合ロック突起５７ｂ、６４を係止することによって上側カバー５０と下側カバー６０とを結合した状態で固定する。
【００６８】
このようにしてコネクタカバー４０をコネクタ１０に組み付けた後、作業者は、図６（ａ‐１）、図６（ａ‐２）、図６（ｂ‐１）、および、図６（ｂ‐２）に示すように、ヒンジ部４０ｂによって上側カバー５０に連結されている開口閉塞カバー７０をヒンジ部４０ｂを中心に回転させて上側カバー５０に固定する。
ここで、作業者は、開口閉塞カバー７０の２つの閉塞カバー側ロック突起７４、７５を一対のズレ防止リブ５８、５８の２つのリブ側ロック突起５８ａ、５８ｂに係合することによって、開口閉塞カバー７０を一対のズレ防止リブ５８、５８に固定する。
このようにして開口閉塞カバー７０が上側カバー５０に固定されることによって、レバー３０を嵌合操作完了位置でロックするロック部２３の操作側に形成された開口Ｏが塞がれる。
【００６９】
最後に、作業者は、図６（ｃ‐１）、および、図６（ｃ‐２）に示すように、レバー３０を嵌合操作完了位置に回動操作することによってコネクタ１０と相手コネクタ１００とが嵌合される。
【００７０】
ここで、作業者は、相手コネクタ１００の一対のカム部１１０、１１０がコネクタハウジング２０に形成された一対の切欠き部２０ｂ、２０ｂを通してレバー３０の一対のカム溝３２ｂ、３２ｂの入口に嵌め込まれる位置まで相手コネクタ１００をコネクタハウジング２０の嵌入口２０ａから内方に嵌入した後、レバー操作部３３をロック部２３によってロックされる嵌合操作完了位置まで回動操作する。
このようにしてレバー操作部３３が嵌合操作完了位置に配置されると、ロック片３３ａがロック部２３のロック突起２３ｂに引っ掛かることによってレバー操作部３３が嵌合操作完了位置でロックされる。
なお、作業者によってレバー３０が嵌合操作完了位置に回動操作されると、相手コネクタ１００は、一対のカム部１１０、１１０が対応する各カム溝３２ｂによって移動のための外力を受けながら切欠き部２０ｂに沿って移動されることによってコネクタハウジング２０内方の嵌合完了位置に移動される。
【００７１】
また、レバー操作部３３が嵌合操作完了位置に配置されると、アーム過大変位防止壁部２４がレバー３０と、開口閉塞カバー７０との間でレバー３０と開口閉塞カバー７０のそれぞれに当接されるため、レバー３０と、開口閉塞カバー７０と、アーム過大変位防止壁部２４とのそれぞれ別個の機能をなす３つの構成要素によって、レバー３０をロックするロック部２３の操作側に形成された開口Ｏおよびロック部２３の周辺が広い範囲で覆われる。
【００７２】
次に、相手コネクタ１００とコネクタ１０との嵌合を解除する手順を説明する。
まず、作業者は、開口閉塞カバー７０の２つの閉塞カバー側ロック突起７４、７５と一対のズレ防止リブ５８、５８の２つのリブ側ロック突起５８ａ、５８ｂとの係止を解除して、ヒンジ部４０ｂを中心に一対のズレ防止リブ５８、５８に固定するときとは逆方向に開口閉塞カバー７０を回転させてロック部２３の操作側に形成された開口Ｏを開く。
【００７３】
その後、作業者は、開口Ｏを通して指、あるいは治具を挿入し、ロック部２３の弾性アーム部２３ａをレバー３０のロックが解除される方向に撓ませる。
なお、外力によって弾性アーム部２３ａがロックが解除される方向と反対の方向に撓まされた場合、アーム過大変位防止壁部２４が、弾性アーム部２３ａの過大な変位を防止するようになっているため、弾性アーム部２３ａが損傷されることを防ぐことができる。
【００７４】
最後に、作業者は、ロックが解除されたレバー操作部３３を嵌合操作完了位置から相手コネクタ１００との嵌合前の待機位置に戻すことによって、相手コネクタ１００とコネクタ１０との嵌合を解除する。
また、作業者によってレバー３０が相手コネクタ１００との嵌合前の待機位置に回動操作されると、相手コネクタ１００は、一対のカム部１１０、１１０が対応する各カム溝３２ｂによって移動のための外力を受けながら切欠き部２０ｂに沿って移動されることによってコネクタハウジング２０の嵌入口２０ａに移動される。
このように、作業者は、コネクタカバー４０をコネクタ１０から離脱させることなく、開口閉塞カバー４０を開くだけで、相手コネクタ１００とコネクタとの嵌合を解除することができる。
【００７５】
本発明の実施例１に係るコネクタカバー４０は、回動操作によって相手コネクタ１００との嵌合および嵌合解除を補助するレバー３０が設けられたコネクタ１０の配線部材Ｗが引き出される部分を覆うようにコネクタ１０に装着されるカバーであり、レバー３０を嵌合操作完了位置でロックするロック部２３の操作側に形成された開口Ｏを開閉可能な開口閉塞カバー７０を有するので、コネクタ１０に高圧洗浄水が吹きかけられた場合であっても、開口Ｏを通して高圧洗浄水がコネクタカバー４０内のコネクタ１０から引き出された電線Ｗ、あるいは、電線Ｗの引き出し口を防水可能に封止するシール部材に吹きかけられることを防ぐことができ、結果的に、コネクタ１０に高圧洗浄水が吹きかけられた場合であっても、コネクタ１０から引き出された配線部材Ｗ、あるいは、配線部材Ｗの引き出し口を防水可能に封止する防水シール部材が高圧洗浄水によって損傷されることを防ぎ、かつ、相手コネクタ１００との嵌合が不用意に解除されることを防ぐことができる。
【００７６】
また、本発明の実施例１に係るコネクタとコネクタカバーとの組み付け構造１は、回動操作によって相手コネクタ１００との嵌合および嵌合解除を補助するレバー３０が設けられ、レバー３０が嵌合操作完了位置でレバー３０をロックするロック部２３の周辺を覆うコネクタ１０と、コネクタ１０の配線部材Ｗが引き出される部分を覆うようにコネクタ１０に装着されるカバーであり、ロック部２３の操作側に形成された開口Ｏを開閉可能な開口閉塞カバー７０を有するコネクタカバー４０と、を有するので、コネクタ１０に高圧洗浄水が吹きかけられた場合であっても、開口Ｏを通して高圧洗浄水がコネクタカバー４０内のコネクタ１０から引き出された電線Ｗ、あるいは、電線Ｗの引き出し口を防水可能に封止するシール部材に吹きかけられることを防ぐことができ、しかも、コネクタカバー４０と合わせてロック部２３の周辺を広い範囲で覆うことができるので、結果的に、コネクタ１０に高圧洗浄水が吹きかけられた場合であっても、コネクタ１０から引き出された配線部材Ｗ、あるいは、配線部材Ｗの引き出し口を防水可能に封止する防水シール部材が高圧洗浄水によって損傷されることを防ぎ、かつ、相手コネクタ１００との嵌合が不用意に解除されることを防ぐことができる。
【００７７】
また、本発明の実施例１に係るコネクタとコネクタカバーとの組み付け構造１は、コネクタカバー４０がコネクタ１０に装着完了状態で、一対のズレ防止リブ５８、５８が弾性アーム部２３ａの過大な変位を防止するアーム過大変位防止壁部２４を両側端面側から挟み込むように配置され、更に開口閉塞カバー７０がズレ防止リブ５８、５８を挟み込むように配置されるので、一対のズレ防止リブ５８、５８が互いの間隔を拡げるように変形されることが阻止され、結果的に、コネクタ１０へのコネクタカバー４０の取付け位置のズレの発生を防止することができる。
【００７８】
また、本発明の実施例１に係るコネクタとコネクタカバーとの組み付け構造１は、レバー操作部３３が嵌合操作完了位置にロックされると、アーム過大変位防止壁部２４がレバー３０と、開口閉塞カバー８０との間でレバー３０と開口閉塞カバー８０のそれぞれに当接されるため、レバー３０と、開口閉塞カバーと、アーム過大変位防止壁部２４とのそれぞれ別個の機能をなす３つの構成要素によって、レバー３０をロックするロック部２３の操作側に形成された開口Ｏおよびロック部２３の周辺を広い範囲で覆うことができる。
【００７９】
次に、図７−図９を用いて本発明の実施例２に係るコネクタカバー４１、および、コネクタとコネクタカバーとの組み付け構造２について説明する。
図７は、本発明の実施例２に係るコネクタカバー４１が装着され、開口閉塞カバー８０が開いた状態になっているコネクタ１０を２方向から視た図である。図８は、本発明の実施例２に係るコネクタカバー４１の展開図である。図９は、（ａ）が、開口閉塞カバー８０を上側カバー５０に取り付ける前の状態を示し、（ｂ）が、開口閉塞カバー８０を上側カバー５０に取り付けた後の状態を示した図である。
【００８０】
本発明の実施例２に係るコネクタカバー４１、および、コネクタとコネクタカバーとの組み付け構造２は、開口閉塞カバー８０が上側カバー５０に設けられた軸部４０ｃに回動可能に支持されるようになっている点で、実施例１のコネクタカバー４０、および、コネクタとコネクタカバーとの組み付け構造１と異なる。
なお、その他の構成は実施例１と同様であり、実施例１と同一構成部分には同一符号を付しその説明を省略する。
【００８１】
本発明の実施例２に係るコネクタとコネクタカバーとの組み付け構造２は、例えば、車両に搭載されるものである。
【００８２】
このコネクタとコネクタカバーとの組み付け構造２は、コネクタ１０と、コネクタカバー４１と、コルゲートチューブＣと、を有する。
【００８３】
まず、コネクタ１０について説明する。
コネクタ１０は、コネクタハウジング２０と、レバー３０と、電線Ｗの端末部に接続された不図示の端子と、を有する。
【００８４】
コネクタハウジング２０は、開口閉塞カバー８０を回動可能に支持する軸部４０ｃを有する。
軸部４０ｃは、上側カバー５０に設けられた一対のズレ防止リブ５８、５８の上端部に一対のズレ防止リブ５８、５８を橋渡すように設けられている。
【００８５】
開口閉塞カバー８０は、レバー３０を嵌合操作完了位置でロックするロック部２３の操作側に形成された開口Ｏを開閉可能に軸部４０ｃによって支持されている。
【００８６】
この開口閉塞カバー８０は、天井壁７１と、天井壁７１の両端部に互いに向かい合うように立設された一対の側壁７２と、天井壁７１の後端部に設けられた後端壁７３と、固定先となる一対のズレ防止リブ５８、５８にロックする部分となる一対の閉塞カバー側ロック突起７８、７８と、軸部４０ｃに装着される部分となる軸装着部８１と、を有する。
【００８７】
軸装着部８１は、軸部４０ｃの外周面形状に対応した断面円弧状の内周面が軸部４０ｃへの取付け側の面として形成されており、図９に示すように、弾性的に拡開されるスリット８１ａ部分から軸部４０ｃに嵌め込まれるようになっている。
【００８８】
次に、図１０を用いて、コネクタカバー４１をコネクタ１０に組み付けた後に、コネクタ１０と相手コネクタ１００と嵌合する手順を説明する。
図１０は、開口閉塞カバー８０を閉じる様子、および、レバー操作によってコネクタ１０と相手コネクタ１００とを嵌合する様子を示した図であり、左右に並ぶ図は同一の状態を異なる方向から視た図である。
【００８９】
なお、コネクタカバー４１をコネクタ１０に組み付ける手順は、実施例１と同様であるためその説明を省略する。
【００９０】
コネクタカバー４１をコネクタ１０に組み付けた後、作業者は、図１０（ａ‐１）、図１０（ａ‐２）、図１０（ｂ‐１）、および、図１０（ｂ‐２）に示すように、軸部４０ｃによって上側カバー５０に回動可能に支持されている開口閉塞カバー８０を軸部４０ｃを中心に回転させて上側カバー５０に固定する。
ここで、作業者は、開口閉塞カバー８０の一対の閉塞カバー側ロック突起７８、７８を一対のズレ防止リブ５８、５８の一対のロック凹部５８ｃ、５８ｃに係止することによって、開口閉塞カバー８０を一対のズレ防止リブ５８、５８に固定する。
このようにして開口閉塞カバー８０が上側カバー５０に固定されることによって、レバー３０を嵌合操作完了位置でロックするロック部２３の操作側に形成された開口Ｏが塞がれる。
【００９１】
最後に、作業者は、図１０（ｃ‐１）、および、図１０（ｃ‐２）に示すように、レバー３０を嵌合操作完了位置に回動操作することによってコネクタ１０と相手コネクタ１００とが嵌合される。
【００９２】
ここで、作業者は、相手コネクタ１００の一対のカム部１１０、１１０がコネクタハウジング２０に形成された一対の切欠き部２０ｂ、２０ｂを通してレバー３０の一対のカム溝３２ｂ、３２ｂの入口に嵌め込まれる位置まで相手コネクタ１００をコネクタ１０の嵌入口２０ａからコネクタハウジング２０の内方に嵌入した後、レバー操作部３３をロック部２３によってロックされる嵌合操作完了位置まで回動操作する。
このようにレバー操作部３３が嵌合操作完了位置に位置されると、ロック片３３ａがロック部２３のロック突起２３ｂに引っ掛かることによってレバー操作部３３が嵌合操作完了位置でロックされる。
【００９３】
なお、作業者によってレバー３０が嵌合操作完了位置に回動操作されると、相手コネクタ１００は、一対のカム部１１０、１１０が対応する各カム溝３２ｂによって移動のための外力を受けながら切欠き部２０ｂに沿って移動されることによってコネクタハウジング２０内方の嵌合完了位置に移動される。
【００９４】
また、レバー操作部３３が嵌合操作完了位置に配置されると、アーム過大変位防止壁部２４がレバー３０と、開口閉塞カバー８０との間でレバー３０と開口閉塞カバー８０のそれぞれに当接されるため、レバー３０と、開口閉塞カバー８０と、アーム過大変位防止壁部２４とのそれぞれ別個の機能をなす３つの構成要素によって、レバー３０をロックするロック部２３の操作側に形成された開口Ｏおよびロック部２３の周辺が広い範囲で覆われる。
【００９５】
次に、相手コネクタ１００とコネクタ１０との嵌合を解除する手順を説明する。
まず、作業者は、開口閉塞カバー８０の一対の閉塞カバー側ロック突起７８、７８と一対のズレ防止リブ５８、５８の一対のロック凹部５８ｃ、５８ｃとの係止を解除して、軸部４０ｃを中心に一対のズレ防止リブ５８、５８に固定するときとは逆方向に開口閉塞カバー８０回転させてロック部２３の操作側に形成された開口Ｏを開く。
【００９６】
その後、作業者は、開口Ｏを通して指、あるいは治具を挿入し、ロック部２３の弾性アーム部２３ａをレバー３０のロックが解除される方向に撓ませる。
なお、外力によって弾性アーム部２３ａがロックが解除される方向と反対方向に撓まされた場合、アーム過大変位防止壁部２４が、弾性アーム部２３ａの過大な変位を防止するようになっているため、弾性アーム部２３ａが損傷されることを防ぐことができる。
【００９７】
最後に、作業者は、ロックが解除されたレバー操作部３３を嵌合操作完了位置から相手コネクタ１００との嵌合前の待機位置に戻すことによって、相手コネクタ１００とコネクタとの嵌合を解除する。
また、作業者によってレバー３０が相手コネクタ１００との嵌合前の待機位置に回動操作されると、相手コネクタ１００は、一対のカム部１１０、１１０が対応する各カム溝３２ｂによって移動のための外力を受けながら各切欠き部２０ｂに沿って移動されることによってコネクタハウジング２０の嵌入口２０ａに移動される。
このように、作業者は、コネクタカバー４１をコネクタ１０から離脱させることなく、開口閉塞カバー８０を開くだけで、相手コネクタ１００とコネクタとの嵌合を解除することができる。
【００９８】
本発明の実施例２に係るコネクタカバー４１は、実施例１のコネクタカバー４０と同様に、回動操作によって相手コネクタ１００との嵌合および嵌合解除を補助するレバー３０が設けられたコネクタ１０の配線部材Ｗが引き出される部分を覆うようにコネクタ１０に装着されるカバーであり、レバー３０を嵌合操作完了位置でロックするロック部２３の操作側に形成された開口Ｏを開閉可能な開口閉塞カバー８０を有するので、コネクタ１０に高圧洗浄水が吹きかけられた場合であっても、開口Ｏを通して高圧洗浄水がコネクタカバー４１内のコネクタ１０から引き出された配線部材Ｗ、あるいは、配線部材Ｗの引き出し口を防水可能に封止するシール部材に吹きかけられることを防ぐことができ、結果的に、コネクタ１０に高圧洗浄水が吹きかけられた場合であっても、コネクタ１０から引き出された配線部材Ｗ、あるいは、配線部材Ｗの引き出し口を防水可能に封止する防水シール部材が高圧洗浄水によって損傷されることを防ぎ、かつ、相手コネクタ１００との嵌合が不用意に解除されることを防ぐことができる。
【００９９】
本発明の実施例２に係るコネクタとコネクタカバーとの組み付け構造２は、実施例１のコネクタとコネクタカバーとの組み付け構造１と同様に、回動操作によって相手コネクタ１００との嵌合および嵌合解除を補助するレバー３０が設けられ、レバー３０が嵌合操作完了位置でレバー３０をロックするロック部２３の周辺を覆うコネクタ１０と、コネクタ１０の配線部材Ｗが引き出される部分を覆うようにコネクタ１０に装着されるカバーであり、ロック部２３の操作側に形成された開口Ｏを開閉可能な開口閉塞カバー８０を有するコネクタカバー４１と、を有するので、コネクタ１０に高圧洗浄水が吹きかけられた場合であっても、開口Ｏを通して高圧洗浄水がコネクタカバー４１内のコネクタ１０から引き出された電線Ｗ、あるいは、電線Ｗの引き出し口を防水可能に封止するシール部材に吹きかけられることを防ぐことができ、しかも、コネクタカバー４１と合わせてロック部２３の周辺を広い範囲で覆うことができるので、結果的に、コネクタ１０に高圧洗浄水が吹きかけられた場合であっても、コネクタ１０から引き出された配線部材Ｗ、あるいは、配線部材Ｗの引き出し口を防水可能に封止する防水シール部材が高圧洗浄水によって損傷されることを防ぎ、かつ、相手コネクタ１００との嵌合が不用意に解除されることを防ぐことができる。
【０１００】
次に、図１１−図１３を用いて本発明の実施例３に係るコネクタカバー４２、および、コネクタとコネクタカバーとの組み付け構造３について説明する。
図１１は、本発明の実施例３に係るコネクタカバー４２が装着され、開口閉塞カバー９０が開いた状態になっているコネクタ１０の斜視図である。図１２は、（ａ）が、本発明の実施例３に係るコネクタカバー４２の展開図であり、（ｂ）が、（ａ）に示したコネクタカバー４２の上側カバー５０と下側カバー６０とを結合した状態を示した図である。図１３は、（ａ）が、コネクタカバー４２を装着した状態のコネクタ１０の上面図であり、（ｂ）が、（ａ）に示したコネクタ１０のＡ−Ａ線断面図の開口閉塞カバー９０が開位置にある状態を示した図であり、（ｃ）が、（ａ）に示したコネクタ１０のＡ−Ａ線断面図の開口閉塞カバー９０が閉位置にある状態を示した図である。
【０１０１】
本発明の実施例３に係るコネクタカバー４２、および、コネクタとコネクタカバーとの組み付け構造３は、開口閉塞カバー９０が上側カバー５０にスライド移動可能に装着されている点で、実施例１のコネクタカバー４０、および、コネクタとコネクタカバーとの組み付け構造１と異なる。
なお、その他の構成は実施例１と同様であり、実施例１と同一構成部分には同一符号を付しその説明を省略する。
【０１０２】
本発明の実施例３に係るコネクタとコネクタカバーとの組み付け構造３は、例えば、車両に搭載されるものである。
【０１０３】
このコネクタとコネクタカバーとの組み付け構造３は、コネクタ１０と、コネクタカバー４２と、コルゲートチューブＣと、を有する。
【０１０４】
まず、コネクタ１０について説明する。
コネクタ１０は、コネクタハウジング２０と、レバー３０と、電線Ｗの端末部に接続された不図示の端子と、を有する。
【０１０５】
コネクタハウジング２０は、開口閉塞カバー９０をロック部２３の操作側に形成された開口Ｏを開ける開位置と、開口Ｏを閉じる閉位置との間でスライド移動するように誘導する一対のスライドガイドリブ５８ｅ、５８ｅを有する。
【０１０６】
各スライドガイドリブ５８ｅ、５８ｅは、一対のズレ防止リブ５８、５８の各ズレ防止リブ５８の外面上端側から下方に向けて直線状に延在されるように設けられている。
【０１０７】
開口閉塞カバー９０は、一対のズレ防止リブ５８、５８に設けられた一対のスライドガイドリブ５８ｅ、５８ｅに沿ってスライド移動されることによってレバー３０を嵌合操作完了位置でロックするロック部２３の操作側に形成された開口Ｏを開閉することができるようになっている。
【０１０８】
この開口閉塞カバー９０は、天井壁７１と、天井壁７１の両端部に互いに向かい合うように立設された一対の側壁７２、７２と、天井壁７１の後端部に設けられた後端壁７３と、一対のスライドガイドリブ５８ｅ、５８ｅが嵌め込まれる一対のスライドガイド溝９１、９１と、固定先となる一対のズレ防止リブ５８、５８に開位置と閉位置とでロックする部分となる二対のロック凹部９２、９２、９３、９３と、を有する。
【０１０９】
一対のスライドガイド溝９１、９１は、一対の側壁７２、７２の前端部内面側に側壁７２、７２の上端位置から下端位置まで直線状に延び、且つ、スライドガイドリブ５８ｅ、５８ｅの幅より僅かに大きい幅で向かい合う壁の間に形成されている。
【０１１０】
二対のロック凹部９２、９２、９３、９３のうち、一方の一対のロック凹部９２、９２は、一対の側壁７２、７２の下端部内面側に設けられ、図１３（ｂ）に示すように、一対のズレ防止リブ５８、５８に設けられた一対のロック突起５８ｄ、５８ｄと係止することによって、開口閉塞カバー９０を開位置で係止するものである。
【０１１１】
二対のロック凹部９２、９２、９３、９３のうち、他方の一対のロック凹部９３、９３は、一対の側壁７２、７２の上端部内面側に設けられ、図１３（ｃ）に示すように、一対のズレ防止リブ５８、５８に設けられた一対のロック突起５８ｄ、５８ｄと係止することによって、開口閉塞カバー９０を閉位置で係止するものである。
【０１１２】
次に、図１４を用いて、コネクタカバーをコネクタに組み付けた後に、コネクタと相手コネクタ１００と嵌合する手順を説明する。
図１４は、開口閉塞カバー９０を閉じる様子、および、レバー操作によってコネクタ１０と相手コネクタ１００とを嵌合する様子を示した図であり、左右に並ぶ図は同一の状態を異なる方向から視た図である。
【０１１３】
なお、コネクタカバー４２をコネクタ１０に組み付ける手順は、実施例１と同様であるためその説明を省略する。
【０１１４】
コネクタカバー４２をコネクタ１０に組み付けた後、作業者は、図１４（ａ‐１）、図１４（ａ‐２）、図１４（ｂ‐１）、および、図１４（ｂ‐２）に示すように、開口Ｏを開く開位置に係止されている開口閉塞カバー９０を一対のスライドガイドリブ５８ｅ、５８ｅに沿ってスライド移動し、開口Ｏを閉じる閉位置に係止する。
このようにして開口閉塞カバー９０が閉位置で係止されることによって、レバー３０を嵌合操作完了位置でロックするロック部２３の操作側に形成された開口Ｏが塞がれる。
【０１１５】
最後に、作業者は、図１４（ｃ‐１）、および、図１４（ｃ‐２）に示すように、レバー３０を嵌合操作完了位置に回動操作することによってコネクタ１０と相手コネクタ１００とが嵌合される。
ここで、作業者は、相手コネクタ１００の一対のカム部１１０、１１０がコネクタハウジング２０に形成された一対の切欠き部２０ｂ、２０ｂを通してレバー３０の一対のカム溝３２ｂ、３２ｂの入口に嵌め込まれる位置まで相手コネクタ１００をコネクタ１０の嵌入口２０ａからコネクタハウジング２０の内方に嵌入した後、レバー操作部３３をロック部２３によってロックされる嵌合操作完了位置まで回動操作する。
このようにレバー操作部３３が嵌合操作完了位置に位置されると、ロック片３３ａがロック部２３のロック突起２３ｂ引っ掛かることによってレバー操作部３３が嵌合操作完了位置でロックされる。
【０１１６】
なお、作業者によってレバー３０が嵌合操作完了位置に回動操作されると、相手コネクタ１００は、一対のカム部１１０、１１０が対応する各カム溝３２ｂによって移動のための外力を受けながら切欠き部２０ｂに沿って移動されることによってコネクタハウジング２０内方の嵌合完了位置に移動される。
【０１１７】
また、レバー操作部３３が嵌合操作完了位置に配置されると、アーム過大変位防止壁部２４がレバー３０と、開口閉塞カバー９０との間でレバー３０と開口閉塞カバー９０のそれぞれに当接されるため、レバー３０と、開口閉塞カバー９０と、アーム過大変位防止壁部２４とのそれぞれ別個の機能をなす３つの構成要素によって、レバー３０をロックするロック部２３の操作側に形成された開口Ｏおよびロック部２３の周辺が広い範囲で覆われる。
【０１１８】
次に、相手コネクタ１００とコネクタ１０との嵌合を解除する手順を説明する。
まず、作業者は、開口閉塞カバー９０を一対のスライドガイドリブ５８ｅ、５８ｅに沿ってスライド移動することによって開口Ｏを開ける開位置に係止する。
【０１１９】
その後、作業者は、開口Ｏを通して指、あるいは治具を挿入し、ロック部２３の弾性アーム部２３ａをレバー３０のロックが解除される方向に撓ませる。
なお、外力によって弾性アーム部２３ａがロックが解除される方向と反対方向に撓まされた場合、アーム過大変位防止壁部２４が、弾性アーム部２３ａの過大な変位を防止するようになっているため、弾性アーム部２３ａが損傷されることを防ぐことができる。
【０１２０】
最後に、作業者は、ロックが解除されたレバー操作部３３を嵌合操作完了位置から相手コネクタ１００との嵌合前の待機位置に戻すことによって、相手コネクタ１００とコネクタ１０との嵌合を解除する。
また、作業者によってレバー３０が相手コネクタ１００との嵌合前の待機位置に回動操作されると、相手コネクタ１００は、一対のカム部１１０、１１０が対応する各カム溝３２ｂによって移動のための外力を受けながら各切欠き部２０ｂに沿って移動されることによってコネクタハウジング２０の嵌入口２０ａに移動される。
このように、作業者は、コネクタカバー４２をコネクタ１０から離脱させることなく、開口閉塞カバー９０を開くだけで、相手コネクタ１００とコネクタとの嵌合を解除することができる。
【０１２１】
本発明の実施例３に係るコネクタカバー４２は、実施例１のコネクタカバー４０と同様に、回動操作によって相手コネクタ１００との嵌合および嵌合解除を補助するレバー３０が設けられたコネクタ１０の配線部材Ｗが引き出される部分を覆うようにコネクタ１０に装着されるカバーであり、レバー３０を嵌合操作完了位置でロックするロック部２３の操作側に形成された開口Ｏを開閉可能な開口閉塞カバー９０を有するので、コネクタ１０に高圧洗浄水が吹きかけられた場合であっても、開口Ｏを通して高圧洗浄水がコネクタカバー４２内のコネクタ１０から引き出された配線部材Ｗ、あるいは、配線部材Ｗの引き出し口を防水可能に封止するシール部材に吹きかけられることを防ぐことができ、結果的に、コネクタ１０に高圧洗浄水が吹きかけられた場合であっても、コネクタ１０から引き出された配線部材Ｗ、あるいは、配線部材Ｗの引き出し口を防水可能に封止する防水シール部材が高圧洗浄水によって損傷されることを防ぎ、かつ、相手コネクタ１００との嵌合が不用意に解除されることを防ぐことができる。
【０１２２】
本発明の実施例３に係るコネクタとコネクタカバーとの組み付け構造３は、実施例１のコネクタとコネクタカバーとの組み付け構造１と同様に、回動操作によって相手コネクタ１００との嵌合および嵌合解除を補助するレバー３０が設けられ、レバー３０が嵌合操作完了位置でレバー３０をロックするロック部２３の周辺を覆うコネクタ１０と、コネクタ１０の配線部材Ｗが引き出される部分を覆うようにコネクタ１０に装着されるカバーであり、ロック部２３の操作側に形成された開口Ｏを開閉可能な開口閉塞カバー９０を有するコネクタカバー４２と、を有するので、コネクタ１０に高圧洗浄水が吹きかけられた場合であっても、開口Ｏを通して高圧洗浄水がコネクタカバー４２内のコネクタ１０から引き出された電線Ｗ、あるいは、電線Ｗの引き出し口を防水可能に封止するシール部材に吹きかけられることを防ぐことができ、しかも、コネクタカバー４２と合わせてロック部２３の周辺を広い範囲で覆うことができるので、結果的に、コネクタ１０に高圧洗浄水が吹きかけられた場合であっても、コネクタ１０から引き出された配線部材Ｗ、あるいは、配線部材Ｗの引き出し口を防水可能に封止する防水シール部材が高圧洗浄水によって損傷されることを防ぎ、かつ、相手コネクタ１００との嵌合が不用意に解除されることを防ぐことができる。
【０１２３】
なお、本発明の実施例１−３に係るコネクタカバー４０、４１、４２およびコネクタとコネクタカバーとの組み付け構造１、２、３は、ロック部２３が弾性アーム部２３ａを有するものを例示したが、これに限らず、レバー３０を嵌合操作完了位置でロックするものであれば、開口閉塞カバー７０、８０、９０によって開閉可能な開口Ｏからロック解除操作可能であれば、その他のロック構造であっても構わない。
【０１２４】
また、本発明の実施例１−３に係るコネクタとコネクタカバーとの組み付け構造１、２、３は、アーム過大変位防止壁部２４を有するものを例示したが、これに限らず、アーム過大変位防止壁部２４を有しないものであっても構わない。すなわち、コネクタとコネクタカバーとの組み付け構造１、２、３は、少なくとも、レバー３０が嵌合操作完了位置でロック部２３の周辺を覆い、開口閉塞カバー７０、８０、９０がロック部２３の操作側に形成された開口Ｏを開閉可能になっていればよい。
【０１２５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【０１２６】
１        １、２、３  コネクタとコネクタカバーとの組み付け構造
１０      コネクタ
２０      コネクタハウジング
２０ａ    嵌入口
２０ｂ    切欠き部
２０ｃ    嵌め込み凹部
２１      端子収容室
２１ａ    相手端子挿入口
２１ｂ    端子挿入口
２２      回動軸
２３      ロック部
２３ａ    弾性アーム部
２３ｂ    ロック突起
２３ｃ    突き当て用突起部
２４      アーム過大変位防止壁部
２４ａ    壁本体部
２４ａａ  面
２４ｂ    ストッパ部
２５      ハウジング側係止部
３０      レバー
３１      レバー本体部
３２      レバー本体壁部
３２ａ    回動軸孔
３２ｂ    カム溝
３３      レバー操作部
３３ａ    ロック片
４０、４１、４２  コネクタカバー
４０ａ、４０ｂ  ヒンジ部
４０ｃ    軸部
５０      上側カバー
５１      連結部
５２      連結本体部
５２ａ    側部カバー壁
５２ｂ    天井カバー壁
５３      第一連結片
５４      第二連結片
５５      チューブ収容部
５６      収容本体部
５６ａ    突条
５７      結合ロック部
５７ａ    弾性アーム部
５７ｂ    結合ロック突起
５８      ズレ防止リブ
５８ａ、５８ｂ  リブ側ロック突起
５８ｃ    ロック凹部
５８ｄ    ロック突起
５８ｅ    スライドガイドリブ
５９      カバー側係止部
６０      下側カバー
６１      連結部
６２      チューブ収容部
６３      収容本体部
６３ａ    突条
６４      結合ロック突起
６５      カバー側係止部
７０、８０、９０  開口閉塞カバー
７１      天井壁
７２      側壁
７３      後端壁
７４、７５、７８  閉塞カバー側ロック突起
７６      突片部
８１      軸装着部
８１ａ    スリット
９１      スライドガイド溝
９２、９３  ロック凹部
１００    相手コネクタ
１１０    カム部
１１１    相手端子
Ｃ        コルゲートチューブ
Ｏ        開口
Ｗ        電線（配線部材）
【図１】
2019040755.tif 000003
【図２】
2019040755.tif 000004
【図３】
2019040755.tif 000005
【図４】
2019040755.tif 000006
【図５】
2019040755.tif 000007
【図６】
2019040755.tif 000008
【図７】
2019040755.tif 000009
【図８】
2019040755.tif 000010
【図９】
2019040755.tif 000011
【図１０】
2019040755.tif 000012
【図１１】
2019040755.tif 000013
【図１２】
2019040755.tif 000014
【図１３】
2019040755.tif 000015
【図１４】
2019040755.tif 000016